(57)【要約】      （修正有）【課題】他の物への固定が可能で壊れにくい探検ライトを提供する。【解決手段】探検ライトはライト主体８８を含み、ライト主体８８の下方にはライト台座７７が設置され、ライト主体８８の頂部端面にはランプシェード９９が回転できるように取り付けられ、ライト主体８８の頂部端面の中には上方に開口した第一スライドチャンバ２７が設置され、第一スライドチャンバ２７の中には支持ブロック１１がスライドできるように取り付けられ、圧縮された第二バネ１６が弾力を放して推しブロック１７を推し動かして左方へスライドさせて支持ブロック１１をしっかりと引っ掛からせる。探検ライトを使用しない時は、ヘッドをランプシェードの中に収めることができ、ヘッドが物にぶつかって傷つけられることを防止する。両手で作業する必要がある時は、ライト台座７７が吸盤５８で木に吸着でき、照射角度を調節できる支持機構１０１をつけた。【選択図】図１
2020184505.tif 000002
【特許請求の範囲】
【請求項１】
正面視で、ライト主体を含み、前記ライト主体の下方にはライト台座が設置され、前記ライト主体の頂部端面にはランプシェードが回転できるように取り付けられ、前記ライト主体の頂部端面の中には上方に開口した第一スライドチャンバが設置され、前記第一スライドチャンバの右側内壁には補助チャンバが設置され、前記補助チャンバの中には推しブロックがスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置されたことを特徴とする探検ライト。
【請求項２】
前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には第一スライドブロックがスライドできるように取り付けられ、前記第一スライドブロックにはスライドガイドブロックが固定的に取り付けられ、前記第一スライドブロックの左側端面には左方に開口した動力チャンバが設置され、前記第二支持ロッドが前記第一スライドブロックとヒンジで連結され、前記第一スライドブロックは前記ラックと互いに引っ掛かることができることを特徴とする請求項１に記載の探検ライト。
【請求項３】
前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられたことを特徴とする請求項１に記載の探検ライト。
【請求項４】
前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられたことを特徴とする請求項１に記載の探検ライト。
【発明の詳細な説明】
【技術分野】
【０００１】
本発明は照明器具分野に関わり、具体的には探検ライトである。
【背景技術】
【０００２】
目下、普通の探検ライトヘッドが外に晒され、探検過程の中に壊れやすく、次に探検ライトを使用する時に他の物に固定されなく、手で持つしかないので、手作業をする時に両手を空けて追加作業をやることができなく、他の物に固定されることができる普通の探検ライトが照射角度を調節することは非常に不便である。
【先行技術文献】
【特許文献】
【０００３】
【特許文献１】中国特許出願公開第１０５１５６９７１号明細書
【発明の概要】
【発明が解決しようとする課題】
【０００４】
本発明は探検ライトを提供し、既存技術にある上記の欠点を解消することを目的とする。
【課題を解決するための手段】
【０００５】
本発明の実施例の探検ライトは、ライト主体を含み、前記ライト主体の下方にはライト台座７７が設置され、前記ライト主体の頂部端面にはランプシェードが回転できるように取り付けられ、前記ライト主体の頂部端面の中には上方に開口した第一スライドチャンバが設置され、前記第一スライドチャンバの右側内壁には補助チャンバが設置され、前記補助チャンバの中には推しブロック１７がスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置された。
【０００６】
さらなる技術プランには、前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には第一スライドブロックがスライドできるように取り付けられ、前記第一スライドブロックにはスライドガイドブロックが固定的に取り付けられ、前記第一スライドブロックの左側端面には左方に開口した動力チャンバが設置され、前記第二支持ロッドが前記第一スライドブロックとヒンジで連結され、前記第一スライドブロックは前記ラックと互いに引っ掛かることができる。
【０００７】
さらなる技術プランには、前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられた。
【０００８】
さらなる技術プランには、前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられた。
【発明の効果】
【０００９】
本発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の探検ライトの全体構造略図
【図２】図２は図１の中のＡのところの拡大略図
【図３】図３は図１の中のＢのところの拡大略図
【図４】図４は図１の中のＣ―Ｃ方向の断面構造略図
【図５】図５は本発明の背面構造略図
【図６】図６は本発明の左側面構造略図
【図７】図７は第一スライドブロックの断面構造略図
【発明を実施するための形態】
【００１２】
図１〜７を参照し、本発明の実施例の探検ライトは、ライト主体８８を含み、前記ライト主体８８の下方にはライト台座７７が設置され、前記ライト主体８８の頂部端面にはランプシェード９９が回転できるように取り付けられ、前記ライト主体８８の頂部端面の中には上方に開口した第一スライドチャンバ２７が設置され、前記第一スライドチャンバ２７の右側内壁には補助チャンバ１５が設置され、前記補助チャンバ１５の中には推しブロック１７がスライドできるように設置され、前記補助チャンバ１５の右側内壁と前記推しブロック１７の右側端面との間には第二バネ１６が固定的に取り付けられ、前記補助チャンバ１５の下方には固定チャンバ１８が連通するように設置され、前記固定チャンバ１８の中には第一スライドブロック１９がスライドできるように取り付けられ、前記第一スライドブロック１９の前側端面には引っ掛かり柱２２が固定的に取り付けられ、前記固定チャンバ１８の前側には位置制限チャンバ２３が連通するように設置され、前記位置制限チャンバ２３の中には第一推しロッド２６がスライドできるように取り付けられ、前記第一推しロッド２６には斜め溝２０が設置され、前記斜め溝２０が前記引っ掛かり柱２２とスライドできるように連結され、前記位置制限チャンバ２３の右側にはボタンチャンバ２４が連通しており、前記ボタンチャンバ２４の中にはボタン２１がスライドできるように取り付けられ、前記ボタン２１が前記第一推しロッド２６と固定的に連結され、前記支持ブロック１１が引かれて上方へスライドする時、圧縮された前記第二バネ１６が弾力を放して前記推しブロック１７を推し動かして左方へスライドさせて前記支持ブロック１１をしっかりと引っ掛からせ、探検ライトヘッドの突き出せる機能を実現し、前記ライト主体８８の左側端面には左方に開口した支持チャンバ３５が設置され、前記支持チャンバ３５と前記ライト主体８８との間には角度を調節する機能をつけた支持機構１０１が設置され、前記支持機構１０１は前記支持チャンバ３５と前記ライト主体８８の右側端面との間に回転できるように取り付けられた回転ロッド４３を含み、前記回転ロッド４３の右側端面にはつまみ４４が固定的に取り付けられ、前記回転ロッド４３の左側端面には第一ベベルギヤ４２が固定的に取り付けられ、前記ライト主体８８と前記ライト台座７７との間には吸着機能をつけた伝動機構１０２が設置され、前記支持チャンバ３５の右側が移動チャンバ３１に連通しており、前記移動チャンバ３１の中にはラック３３がスライドできるように取り付けられ、前記移動チャンバ３１の後側には引っ掛かり溝６５が連通するように設置され、前記引っ掛かり溝６５と前記移動チャンバ３１との間にはまた前記ラック３３を推し動かして移動させることができる引っ掛かり機構１０３が設置された。
【００１３】
前記第一スライドチャンバ２７の中には支持ブロック１１がスライドできるように取り付けられ、前記支持ブロック１１の右側端面には制限ブロック１４が固定的に取り付けられ、前記ランプシェード９９の右側内壁には第二スライドチャンバ１２が設置され、前記第二スライドチャンバ１２と前記制限ブロック１４とがスライドできるように取り付けられ、前記第二スライドチャンバ１２の頂壁と前記制限ブロック１４の頂部端面との間には第一バネ１３が固定的に取り付けられ、それによってボタン２１が前記推しブロック１７を連動させて前記支持ブロック１１との接触から離脱した時、圧縮された第一バネ１３が弾力を放して制限ブロック１４によって前記支持ブロック１１を下方へスライド連動させ、探検ライトヘッドを保護する機能を実現する。
【００１４】
前記支持機構１０１は前記支持チャンバ３５の前後内壁の間に回転できるように取り付けられた連結ロッド５０を含み、前記連結ロッド５０には第一支持ロッド４０が固定的に取り付けられ、前記第一支持ロッド４０の前側のうち前記連結ロッド５０に位置しているところには第二ベベルギヤ４１が固定的に取り付けられ、前記第二ベベルギヤ４１が前記第一ベベルギヤ４２と噛み合っており、前記ライト主体８８の後側端面には第一止めブロック４７が固定的に取り付けられ、前記ライト台座７７の後側端面の中にはスライド溝４５が設置され、前記スライド溝４５の中には第二止めブロック４６がスライドできるように取り付けられ、前記第二止めブロック４６の底部端面と前記スライド溝４５の底壁との間には第三バネ３９が固定的に取り付けられ、前記第一支持ロッド４０には第二支持ロッド３８がヒンジで取り付けられ、前記支持チャンバ３５の右側内壁には第一スライドブロック３６がスライドできるように取り付けられ、前記第一スライドブロック３６にはスライドガイドブロック３７が固定的に取り付けられ、前記第一スライドブロック３６の左側端面には左方に開口した動力チャンバ４８が設置され、前記第二支持ロッド３８が前記第一スライドブロック３６とヒンジで連結され、前記第一スライドブロック３６は前記ラック３３と互いに引っ掛かることができ、それによってつまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤ４１が回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８との作用の下で、第二支持ロッド３８が回転して第一スライドブロック３６をスライド連動させ、角度を調節する支持機能を実現する。
【００１５】
前記伝動機構１０２は前記ライト主体８８の底部端面に固定的に取り付けられた動力ロッド５１を含み、前記動力ロッド５１と前記ライト台座７７とが回転できるように取り付けられ、前記ライト台座７７の中にはラックチャンバ５２が設置され、前記ラックチャンバ５２の中にはラック５４がスライドできるように取り付けられ、前記動力ロッド５１の底部端面にはギヤ５３が固定的に取り付けられ、前記ギヤ５３が前記ラック５４と噛み合っており、前記ラックチャンバ５２の下方には推し動かしチャンバ６２が連通しており、前記ラック５４の底部端面には第二スライドブロック５５が固定的に取り付けられ、前記推し動かしチャンバ６２と前記第二スライドブロック５５とがスライドできるように取り付けられ、前記推し動かしチャンバ６２の頂壁左側には固定ブロック６９が固定的に取り付けられ、前記第二スライドブロック５５と前記固定ブロック６９にはヒンジロッド６４がヒンジで取り付けられ、前後両側の前記ヒンジロッド６４が回転できるように取り付けられ、前記推し動かしチャンバ６２には左右対称のバネチャンバ５７が左右対称的に連通するように設置され、左右の前記バネチャンバ５７の間にはバネブロック５６がスライドできるように取り付けられ、前記バネブロック５６の底部端面と前記バネチャンバ５７の底壁との間には第四バネ６０が左右対称的に固定的に取り付けられ、前記バネブロック５６の頂部端面には制限溝６１が設置され、前記制限溝６１の中には第三スライドブロック６３が左右対称的にスライドできるように取り付けられ、前記第三スライドブロック６３が前記ヒンジロッド６４とヒンジで連結され、前記バネブロック５６の底部端面には下方に開口した連結チャンバ５９が設置され、前記連結チャンバ５９の中には吸盤５８がヒンジで取り付けられ、それによって第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライドさせ、第二スライドブロック５５が左方へスライドしてヒンジロッド６４を押し出し、ヒンジロッド６４が押し出されて左右対称の第三スライドブロック６３を連動させて互いに近づかせ  、第三スライドブロック６３が相対に運動する時にバネブロック５６を推し動かして下方へスライドさせ、バネブロック５６が下方へスライドして吸盤５８を下方へスライド連動させて植物と衝突させ、装置全体が壁に吸着する機能を実現する。
【００１６】
前記引っ掛かり機構１０３は前記移動チャンバ３１の右側内壁に固定的に取り付けられた第一磁石３０を含み、前記ラック３３の右側端面には第二磁石３４が固定的に取り付けられ、前記第二磁石３４と前記ラック３３との間には第二推しロッド３２がスライドできるように取り付けられ、それによって支持する必要がない時、第二推しロッド３２を後方へ引き動かし、第一磁石３０が第二磁石３４を吸引して右方へスライドさせ、第二磁石３４がラック３３を右方へスライド連動させ、ラック３３が第一スライドブロック３６を引っ掛からせることができなく、第一スライドブロック３６が上方へ支持チャンバ３５の中にスライドし、支持機構１０１を回収する機能を実現し、支持する時、第二推しロッド３２を前方へ推せば、ラック３３を押し出す引っ掛かり機能を実現できる。
【００１７】
使用の時、照明必要がある時、支持ブロック１１が引かれて上方へスライドし、圧縮された第二バネ１６が弾力を放して推しブロック１７を推し動かして左方へスライドさせて支持ブロック１１をしっかりと引っ掛からせ、照明が完成した後、ボタン２１が推されて左方へスライドして第一推しロッド２６を左方へスライド連動させ、第一推しロッド２６が斜め溝２０と引っ掛かり柱２２とによって第一スライドブロック１９を上方へスライド連動させ、第一スライドブロック１９が上方へスライドして推しブロック１７を右方へスライド連動させることによって、推しブロック１７が支持ブロック１１との接触から離脱し、圧縮された第一バネ１３が弾力を放して制限ブロック１４によって支持ブロック１１を下方へスライド連動させ、探検ライトヘッドを保護する機能を実現し、つまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤが回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８の作用の下で、第二支持ロッド３８が回転して第一スライドブロック３６をスライド連動させ、角度を調節する機能を実現し、第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライド連動させ、第二スライドブロック５５が左方へスライドしてヒンジロッド６４を押し出し、ヒンジロッド６４が押し出されて左右対称の第三スライドブロック６３を連動させて互いに近づかせ、第三スライドブロック６３が互いに近づくと同時にバネブロック５６を推し動かして下方へスライドさせ、バネブロック５６が下方へスライドして吸盤５８を下方へスライド連動させて植物と衝突させ、全装置全体が壁に吸着する機能を実現し、支持する必要がない時、第二推しロッド３２を後方へ引き動かし、第一磁石３０が第二磁石３４を吸引して右方へスライドさせ、第二磁石３４がラック３３を右方へスライド連動させ、ラック３３が第一スライドブロック３６を引っ掛からせることができなく、第一スライドブロック３６が上方へ支持チャンバ３５の中にスライドし、支持機構１０１を回収する機能を実現し、支持する時、第二推しロッド３２を前方へ推し動かせば、ラック３３を押し出す引っ掛かり機能を実現できる。
【００１８】
本発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020184505.tif 000003
【図２】
2020184505.tif 000004
【図３】
2020184505.tif 000005
【図４】
2020184505.tif 000006
【図５】
2020184505.tif 000007
【図６】
2020184505.tif 000008
【図７】
2020184505.tif 000009
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、ライト主体を含み、前記ライト主体の下方にはライト台座が設置され、前記ライト主体の頂部端面にはランプシェードが回転できるように取り付けられ、前記ライト主体の頂部端面の中には上方に開口した第一スライドチャンバが設置され、前記第一スライドチャンバの右側内壁には補助チャンバが設置され、前記補助チャンバの中には推しブロックがスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、
前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には第二スライドブロックがスライドできるように取り付けられ、前記第二スライドブロックにはスライドガイドブロックが固定的に取り付けられ、前記第二スライドブロックの左側端面には左方に開口した動力チャンバが設置され、前記第二支持ロッドが前記第第二スライドブロックとヒンジで連結され、前記第二スライドブロックは前記ラックと互いに引っ掛かることができ、
前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置されていることを特徴とする探検ライト。
【請求項２】
前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられたことを特徴とする請求項１に記載の探検ライト。
【請求項３】
前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられたことを特徴とする請求項１に記載の探検ライト。
【手続補正２】
【補正対象書類名】明細書
【補正対象項目名】全文
【補正方法】変更
【補正の内容】
【発明の詳細な説明】
【技術分野】
【０００１】
本発明は照明器具分野に関わり、具体的には探検ライトである。
【背景技術】
【０００２】
目下、普通の探検ライトヘッドが外に晒され、探検過程の中に壊れやすく、次に探検ライトを使用する時に他の物に固定されなく、手で持つしかないので、手作業をする時に両手を空けて追加作業をやることができなく、他の物に固定されることができる普通の探検ライトが照射角度を調節することは非常に不便である。
【先行技術文献】
【特許文献】
【０００３】
【特許文献１】中国特許出願公開第１０５１５６９７１号明細書
【発明の概要】
【発明が解決しようとする課題】
【０００４】
本発明は探検ライトを提供し、既存技術にある上記の欠点を解消することを目的とする。
【課題を解決するための手段】
【０００５】
本発明の実施例の探検ライトは、ライト主体を含み、前記ライト主体の下方にはライト台座７７が設置され、前記ライト主体の頂部端面にはランプシェードが回転できるように取り付けられ、前記ライト主体の頂部端面の中には上方に開口した第一スライドチャンバが設置され、前記第一スライドチャンバの右側内壁には補助チャンバが設置され、前記補助チャンバの中には推しブロック１７がスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置された。
【０００６】
さらなる技術プランには、前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には第二スライドブロックがスライドできるように取り付けられ、前記第二スライドブロックにはスライドガイドブロックが固定的に取り付けられ、前記第二スライドブロックの左側端面には左方に開口した動力チャンバが設置され、前記第二支持ロッドが前記第二スライドブロックとヒンジで連結され、前記第二スライドブロックは前記ラックと互いに引っ掛かることができる。
【０００７】
さらなる技術プランには、前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられた。
【０００８】
さらなる技術プランには、前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられた。
【発明の効果】
【０００９】
発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の探検ライトの全体構造略図
【図２】図２は図１の中のＡのところの拡大略図
【図３】図３は図１の中のＢのところの拡大略図
【図４】図４は図１の中のＣ―Ｃ方向の断面構造略図
【図５】図５は本発明の背面構造略図
【図６】図６は本発明の左側面構造略図
【図７】図７は第一スライドブロックの断面構造略図
【発明を実施するための形態】
【００１２】
図１〜７を参照し、本発明の実施例の探検ライトは、ライト主体８８を含み、前記ライト主体８８の下方にはライト台座７７が設置され、前記ライト主体８８の頂部端面にはランプシェード９９が回転できるように取り付けられ、前記ライト主体８８の頂部端面の中には上方に開口した第一スライドチャンバ２７が設置され、前記第一スライドチャンバ２７の右側内壁には補助チャンバ１５が設置され、前記補助チャンバ１５の中には推しブロック１７がスライドできるように設置され、前記補助チャンバ１５の右側内壁と前記推しブロック１７の右側端面との間には第二バネ１６が固定的に取り付けられ、前記補助チャンバ１５の下方には固定チャンバ１８が連通するように設置され、前記固定チャンバ１８の中には第一スライドブロック１９がスライドできるように取り付けられ、前記第一スライドブロック１９の前側端面には引っ掛かり柱２２が固定的に取り付けられ、前記固定チャンバ１８の前側には位置制限チャンバ２３が連通するように設置され、前記位置制限チャンバ２３の中には第一推しロッド２６がスライドできるように取り付けられ、前記第一推しロッド２６には斜め溝２０が設置され、前記斜め溝２０が前記引っ掛かり柱２２とスライドできるように連結され、前記位置制限チャンバ２３の右側にはボタンチャンバ２４が連通しており、前記ボタンチャンバ２４の中にはボタン２１がスライドできるように取り付けられ、前記ボタン２１が前記第一推しロッド２６と固定的に連結され、前記支持ブロック１１が引かれて上方へスライドする時、圧縮された前記第二バネ１６が弾力を放して前記推しブロック１７を推し動かして左方へスライドさせて前記支持ブロック１１をしっかりと引っ掛からせ、探検ライトヘッドの突き出せる機能を実現し、前記ライト主体８８の左側端面には左方に開口した支持チャンバ３５が設置され、前記支持チャンバ３５と前記ライト主体８８との間には角度を調節する機能をつけた支持機構１０１が設置され、前記支持機構１０１は前記支持チャンバ３５と前記ライト主体８８の右側端面との間に回転できるように取り付けられた回転ロッド４３を含み、前記回転ロッド４３の右側端面にはつまみ４４が固定的に取り付けられ、前記回転ロッド４３の左側端面には第一ベベルギヤ４２が固定的に取り付けられ、前記ライト主体８８と前記ライト台座７７との間には吸着機能をつけた伝動機構１０２が設置され、前記支持チャンバ３５の右側が移動チャンバ３１に連通しており、前記移動チャンバ３１の中にはラック３３がスライドできるように取り付けられ、前記移動チャンバ３１の後側には引っ掛かり溝６５が連通するように設置され、前記引っ掛かり溝６５と前記移動チャンバ３１との間にはまた前記ラック３３を推し動かして移動させることができる引っ掛かり機構１０３が設置された。
【００１３】
前記第一スライドチャンバ２７の中には支持ブロック１１がスライドできるように取り付けられ、前記支持ブロック１１の右側端面には制限ブロック１４が固定的に取り付けられ、前記ランプシェード９９の右側内壁には第二スライドチャンバ１２が設置され、前記第二スライドチャンバ１２と前記制限ブロック１４とがスライドできるように取り付けられ、前記第二スライドチャンバ１２の頂壁と前記制限ブロック１４の頂部端面との間には第一バネ１３が固定的に取り付けられ、それによってボタン２１が前記推しブロック１７を連動させて前記支持ブロック１１との接触から離脱した時、圧縮された第一バネ１３が弾力を放して制限ブロック１４によって前記支持ブロック１１を下方へスライド連動させ、探検ライトヘッドを保護する機能を実現する。
【００１４】
前記支持機構１０１は前記支持チャンバ３５の前後内壁の間に回転できるように取り付けられた連結ロッド５０を含み、前記連結ロッド５０には第一支持ロッド４０が固定的に取り付けられ、前記第一支持ロッド４０の前側のうち前記連結ロッド５０に位置しているところには第二ベベルギヤ４１が固定的に取り付けられ、前記第二ベベルギヤ４１が前記第一ベベルギヤ４２と噛み合っており、前記ライト主体８８の後側端面には第一止めブロック４７が固定的に取り付けられ、前記ライト台座７７の後側端面の中にはスライド溝４５が設置され、前記スライド溝４５の中には第二止めブロック４６がスライドできるように取り付けられ、前記第二止めブロック４６の底部端面と前記スライド溝４５の底壁との間には第三バネ３９が固定的に取り付けられ、前記第一支持ロッド４０には第二支持ロッド３８がヒンジで取り付けられ、前記支持チャンバ３５の右側内壁には第二スライドブロック３６がスライドできるように取り付けられ、前記第二スライドブロック３６にはスライドガイドブロック３７が固定的に取り付けられ、前記第二スライドブロック３６の左側端面には左方に開口した動力チャンバ４８が設置され、前記第二支持ロッド３８が前記第二スライドブロック３６とヒンジで連結され、前記第二スライドブロック３６は前記ラック３３と互いに引っ掛かることができ、それによってつまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤ４１が回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８との作用の下で、第二支持ロッド３８が回転して第二スライドブロック３６をスライド連動させ、角度を調節する支持機能を実現する。
【００１５】
前記伝動機構１０２は前記ライト主体８８の底部端面に固定的に取り付けられた動力ロッド５１を含み、前記動力ロッド５１と前記ライト台座７７とが回転できるように取り付けられ、前記ライト台座７７の中にはラックチャンバ５２が設置され、前記ラックチャンバ５２の中にはラック５４がスライドできるように取り付けられ、前記動力ロッド５１の底部端面にはギヤ５３が固定的に取り付けられ、前記ギヤ５３が前記ラック５４と噛み合っており、前記ラックチャンバ５２の下方には推し動かしチャンバ６２が連通しており、前記ラック５４の底部端面には第二スライドブロック５５が固定的に取り付けられ、前記推し動かしチャンバ６２と前記第二スライドブロック５５とがスライドできるように取り付けられ、前記推し動かしチャンバ６２の頂壁左側には固定ブロック６９が固定的に取り付けられ、前記第二スライドブロック５５と前記固定ブロック６９にはヒンジロッド６４がヒンジで取り付けられ、前後両側の前記ヒンジロッド６４が回転できるように取り付けられ、前記推し動かしチャンバ６２には左右対称のバネチャンバ５７が左右対称的に連通するように設置され、左右の前記バネチャンバ５７の間にはバネブロック５６がスライドできるように取り付けられ、前記バネブロック５６の底部端面と前記バネチャンバ５７の底壁との間には第四バネ６０が左右対称的に固定的に取り付けられ、前記バネブロック５６の頂部端面には制限溝６１が設置され、前記制限溝６１の中には第三スライドブロック６３が左右対称的にスライドできるように取り付けられ、前記第三スライドブロック６３が前記ヒンジロッド６４とヒンジで連結され、前記バネブロック５６の底部端面には下方に開口した連結チャンバ５９が設置され、前記連結チャンバ５９の中には吸盤５８がヒンジで取り付けられ、それによって第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライドさせ、第二スライドブロック５５が左方へスライドしてヒンジロッド６４を押し出し、ヒンジロッド６４が押し出されて左右対称の第三スライドブロック６３を連動させて互いに近づかせ、第三スライドブロック６３が相対に運動する時にバネブロック５６を推し動かして下方へスライドさせ、バネブロック５６が下方へスライドして吸盤５８を下方へスライド連動させて植物と衝突させ、装置全体が壁に吸着する機能を実現する。
【００１６】
前記引っ掛かり機構１０３は前記移動チャンバ３１の右側内壁に固定的に取り付けられた第一磁石３０を含み、前記ラック３３の右側端面には第二磁石３４が固定的に取り付けられ、前記第二磁石３４と前記ラック３３との間には第二推しロッド３２がスライドできるように取り付けられ、それによって支持する必要がない時、第二推しロッド３２を後方へ引き動かし、第一磁石３０が第二磁石３４を吸引して右方へスライドさせ、第二磁石３４がラック３３を右方へスライド連動させ、ラック３３が第二スライドブロック３６を引っ掛からせることができなく、第二スライドブロック３６が上方へ支持チャンバ３５の中にスライドし、支持機構１０１を回収する機能を実現し、支持する時、第二推しロッド３２を前方へ推せば、ラック３３を押し出す引っ掛かり機能を実現できる。
【００１７】
使用の時、照明必要がある時、支持ブロック１１が引かれて上方へスライドし、圧縮された第二バネ１６が弾力を放して推しブロック１７を推し動かして左方へスライドさせて支持ブロック１１をしっかりと引っ掛からせ、照明が完成した後、ボタン２１が推されて左方へスライドして第一推しロッド２６を左方へスライド連動させ、第一推しロッド２６が斜め溝２０と引っ掛かり柱２２とによって第一スライドブロック１９を上方へスライド連動させ、第一スライドブロック１９が上方へスライドして推しブロック１７を右方へスライド連動させることによって、推しブロック１７が支持ブロック１１との接触から離脱し、圧縮された第一バネ１３が弾力を放して制限ブロック１４によって支持ブロック１１を下方へスライド連動させ、探検ライトヘッドを保護する機能を実現し、つまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤが回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８の作用の下で、第二支持ロッド３８が回転して第二スライドブロック３６をスライド連動させ、角度を調節する機能を実現し、第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライド連動させ、第二スライドブロック５５が左方へスライドしてヒンジロッド６４を押し出し、ヒンジロッド６４が押し出されて左右対称の第三スライドブロック６３を連動させて互いに近づかせ、第三スライドブロック６３が互いに近づくと同時にバネブロック５６を推し動かして下方へスライドさせ、バネブロック５６が下方へスライドして吸盤５８を下方へスライド連動させて植物と衝突させ、全装置全体が壁に吸着する機能を実現し、支持する必要がない時、第二推しロッド３２を後方へ引き動かし、第一磁石３０が第二磁石３４を吸引して右方へスライドさせ、第二磁石３４がラック３３を右方へスライド連動させ、ラック３３が第二スライドブロック３６を引っ掛からせることができなく、第二スライドブロック３６が上方へ支持チャンバ３５の中にスライドし、支持機構１０１を回収する機能を実現し、支持する時、第二推しロッド３２を前方へ推し動かせば、ラック３３を押し出す引っ掛かり機能を実現できる。
【００１８】
本発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
正面視で、ライト主体を含み、前記ライト主体の下方にはライト台座が設置され、前記ライト主体の頂部端面にはランプシェードが回転できるように取り付けられ、前記ライト主体の頂部端面の中には上方に開口した第一スライドチャンバが設置され、前記第一スライドチャンバの中には支持ブロックがスライドできるように取り付けられ、前記第一スライドチャンバの右側内壁には補助チャンバが設置され、前記補助チャンバの中には推しブロックがスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、
前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置されており、
前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には運動スライドブロックがスライドできるように取り付けられ、前記運動スライドブロックにはスライドガイドブロックが固定的に取り付けられ、前記運動スライドブロックの左側端面には左方に開口した動力チャンバが設置され、前記第二支持ロッドが前記運動スライドブロックとヒンジで連結され、前記運動スライドブロックは前記ラックと互いに引っ掛かることができることを特徴とする探検ライト。
【請求項２】
前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられたことを特徴とする請求項１に記載の探検ライト。
【請求項３】
前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられたことを特徴とする請求項１に記載の探検ライト。
【手続補正２】
【補正対象書類名】明細書
【補正対象項目名】全文
【補正方法】変更
【補正の内容】
【発明の詳細な説明】
【技術分野】
【０００１】
本発明は照明器具分野に関わり、具体的には探検ライトである。
【背景技術】
【０００２】
目下、普通の探検ライトヘッドが外に晒され、探検過程の中に壊れやすく、次に探検ライトを使用する時に他の物に固定されなく、手で持つしかないので、手作業をする時に両手を空けて追加作業をやることができなく、他の物に固定されることができる普通の探検ライトが照射角度を調節することは非常に不便である。
【先行技術文献】
【特許文献】
【０００３】
【特許文献１】中国特許出願公開第１０５１５６９７１号明細書
【発明の概要】
【発明が解決しようとする課題】
【０００４】
本発明は探検ライトを提供し、既存技術にある上記の欠点を解消することを目的とする。
【課題を解決するための手段】
【０００５】
本発明の実施例の探検ライトは、ライト主体を含み、前記ライト主体の下方にはライト台座７７が設置され、前記ライト主体の頂部端面にはランプシェードが回転できるように取り付けられ、前記ライト主体の頂部端面の中には上方に開口した第一スライドチャンバが設置され、前記第一スライドチャンバの中には支持ブロックがスライドできるように取り付けられ、前記第一スライドチャンバの右側内壁には補助チャンバが設置され、前記補助チャンバの中には推しブロック１７がスライドできるように設置され、前記補助チャンバの右側内壁と前記推しブロックの右側端面との間には第二バネが固定的に取り付けられ、前記補助チャンバの下方には固定チャンバが連通するように設置され、前記固定チャンバの中には第一スライドブロックがスライドできるように取り付けられ、前記第一スライドブロックの前側端面には引っ掛かり柱が固定的に取り付けられ、前記固定チャンバの前側には位置制限チャンバが連通するように設置され、前記位置制限チャンバの中には第一推しロッドがスライドできるように取り付けられ、前記第一推しロッドには斜め溝が設置され、前記斜め溝が前記引っ掛かり柱とスライドできるように連結され、前記位置制限チャンバの右側にはボタンチャンバが連通しており、前記ボタンチャンバの中にはボタンがスライドできるように取り付けられ、前記ボタンが前記第一推しロッドと固定的に連結され、前記支持ブロックが引かれて上方へスライドする時、圧縮された前記第二バネが弾力を放して前記推しブロックを推し動かして左方へスライドさせて前記支持ブロックをしっかりと引っ掛からせ、探検ライトヘッドの突き出せる機能を実現し、前記ライト主体の左側端面には左方に開口した支持チャンバが設置され、前記支持チャンバと前記ライト主体との間には角度を調節する機能をつけた支持機構が設置され、前記支持機構は前記支持チャンバと前記ライト主体の右側端面との間に回転できるように取り付けられた回転ロッドを含み、前記回転ロッドの右側端面にはつまみが固定的に取り付けられ、前記回転ロッドの左側端面には第一ベベルギヤが固定的に取り付けられ、前記ライト主体と前記ライト台座との間には吸着機能をつけた伝動機構が設置され、前記支持チャンバの右側が移動チャンバに連通しており、前記移動チャンバの中にはラックがスライドできるように取り付けられ、前記移動チャンバの後側には引っ掛かり溝が連通するように設置され、前記引っ掛かり溝と前記移動チャンバとの間にはまた前記ラックを推し動かして移動させることができる引っ掛かり機構が設置された。
【０００６】
さらなる技術プランには、前記支持機構は前記支持チャンバの前後内壁の間に回転できるように取り付けられた連結ロッドを含み、前記連結ロッドには第一支持ロッドが固定的に取り付けられ、前記第一支持ロッドの前側のうち前記連結ロッドに位置しているところには第二ベベルギヤが固定的に取り付けられ、前記第二ベベルギヤが前記第一ベベルギヤと噛み合っており、前記ライト主体の後側端面には第一止めブロックが固定的に取り付けられ、前記ライト台座の後側端面の中にはスライド溝が設置され、前記スライド溝の中には第二止めブロックがスライドできるように取り付けられ、前記第二止めブロックの底部端面と前記スライド溝の底壁との間には第三バネが固定的に取り付けられ、前記第一支持ロッドには第二支持ロッドがヒンジで取り付けられ、前記支持チャンバの右側内壁には運動スライドブロックがスライドできるように取り付けられ、前記運動スライドブロックにはスライドガイドブロックが固定的に取り付けられ、前記運動スライドブロックの左側端面には左方に開口した動力チャンバが設置され、前記第二支持ロッドが前記運動スライドブロックとヒンジで連結され、前記運動スライドブロックは前記ラックと互いに引っ掛かることができる。
【０００７】
さらなる技術プランには、前記伝動機構は前記ライト主体の底部端面に固定的に取り付けられた動力ロッドを含み、前記動力ロッドと前記ライト台座とが回転できるように取り付けられ、前記ライト台座の中にはラックチャンバが設置され、前記ラックチャンバの中にはラックがスライドできるように取り付けられ、前記動力ロッドの底部端面にはギヤが固定的に取り付けられ、前記ギヤが前記ラックと噛み合っており、前記ラックチャンバの下方には推し動かしチャンバが連通しており、前記ラックの底部端面には第二スライドブロックが固定的に取り付けられ、前記推し動かしチャンバと前記第二スライドブロックとがスライドできるように取り付けられ、前記推し動かしチャンバの頂壁左側には固定ブロックが固定的に取り付けられ、前記第二スライドブロックと前記固定ブロックにはヒンジロッドがヒンジで取り付けられ、前後両側の前記ヒンジロッドが回転できるように取り付けられ、前記推し動かしチャンバには左右対称のバネチャンバが左右対称的に連通するように設置され、左右の前記バネチャンバの間にはバネブロックがスライドできるように取り付けられ、前記バネブロックの底部端面と前記バネチャンバの底壁との間には第四バネが左右対称的に固定的に取り付けられ、前記バネブロックの頂部端面には制限溝が設置され、前記制限溝の中には第三スライドブロックが左右対称的にスライドできるように取り付けられ、前記第三スライドブロックが前記ヒンジロッドとヒンジで連結され、前記バネブロックの底部端面には下方に開口した連結チャンバが設置され、前記連結チャンバの中には吸盤がヒンジで取り付けられた。
【０００８】
さらなる技術プランには、前記引っ掛かり機構は前記移動チャンバの右側内壁に固定的に取り付けられた第一磁石を含み、前記ラックの右側端面には第二磁石が固定的に取り付けられ、前記第二磁石と前記ラックとの間には第二推しロッドがスライドできるように取り付けられた。
【発明の効果】
【０００９】
発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の探検ライトの全体構造略図
【図２】図２は図１の中のＡのところの拡大略図
【図３】図３は図１の中のＢのところの拡大略図
【図４】図４は図１の中のＣ―Ｃ方向の断面構造略図
【図５】図５は本発明の背面構造略図
【図６】図６は本発明の左側面構造略図
【図７】図７は第一スライドブロックの断面構造略図
【発明を実施するための形態】
【００１２】
図１〜７を参照し、本発明の実施例の探検ライトは、ライト主体８８を含み、前記ライト主体８８の下方にはライト台座７７が設置され、前記ライト主体８８の頂部端面にはランプシェード９９が回転できるように取り付けられ、前記ライト主体８８の頂部端面の中には上方に開口した第一スライドチャンバ２７が設置され、前記第一スライドチャンバ２７の中には支持ブロック１１がスライドできるように取り付けられ、前記第一スライドチャンバ２７の右側内壁には補助チャンバ１５が設置され、前記補助チャンバ１５の中には推しブロック１７がスライドできるように設置され、前記補助チャンバ１５の右側内壁と前記推しブロック１７の右側端面との間には第二バネ１６が固定的に取り付けられ、前記補助チャンバ１５の下方には固定チャンバ１８が連通するように設置され、前記固定チャンバ１８の中には第一スライドブロック１９がスライドできるように取り付けられ、前記第一スライドブロック１９の前側端面には引っ掛かり柱２２が固定的に取り付けられ、前記固定チャンバ１８の前側には位置制限チャンバ２３が連通するように設置され、前記位置制限チャンバ２３の中には第一推しロッド２６がスライドできるように取り付けられ、前記第一推しロッド２６には斜め溝２０が設置され、前記斜め溝２０が前記引っ掛かり柱２２とスライドできるように連結され、前記位置制限チャンバ２３の右側にはボタンチャンバ２４が連通しており、前記ボタンチャンバ２４の中にはボタン２１がスライドできるように取り付けられ、前記ボタン２１が前記第一推しロッド２６と固定的に連結され、前記支持ブロック１１が引かれて上方へスライドする時、圧縮された前記第二バネ１６が弾力を放して前記推しブロック１７を推し動かして左方へスライドさせて前記支持ブロック１１をしっかりと引っ掛からせ、探検ライトヘッドの突き出せる機能を実現し、前記ライト主体８８の左側端面には左方に開口した支持チャンバ３５が設置され、前記支持チャンバ３５と前記ライト主体８８との間には角度を調節する機能をつけた支持機構１０１が設置され、前記支持機構１０１は前記支持チャンバ３５と前記ライト主体８８の右側端面との間に回転できるように取り付けられた回転ロッド４３を含み、前記回転ロッド４３の右側端面にはつまみ４４が固定的に取り付けられ、前記回転ロッド４３の左側端面には第一ベベルギヤ４２が固定的に取り付けられ、前記ライト主体８８と前記ライト台座７７との間には吸着機能をつけた伝動機構１０２が設置され、前記支持チャンバ３５の右側が移動チャンバ３１に連通しており、前記移動チャンバ３１の中にはラック３３がスライドできるように取り付けられ、前記移動チャンバ３１の後側には引っ掛かり溝６５が連通するように設置され、前記引っ掛かり溝６５と前記移動チャンバ３１との間にはまた前記ラック３３を推し動かして移動させることができる引っ掛かり機構１０３が設置された。
【００１３】
前記第一スライドチャンバ２７の中には支持ブロック１１がスライドできるように取り付けられ、前記支持ブロック１１の右側端面には制限ブロック１４が固定的に取り付けられ、前記ランプシェード９９の右側内壁には第二スライドチャンバ１２が設置され、前記第二スライドチャンバ１２と前記制限ブロック１４とがスライドできるように取り付けられ、前記第二スライドチャンバ１２の頂壁と前記制限ブロック１４の頂部端面との間には第一バネ１３が固定的に取り付けられ、それによってボタン２１が前記推しブロック１７を連動させて前記支持ブロック１１との接触から離脱した時、圧縮された第一バネ１３が弾力を放して制限ブロック１４によって前記支持ブロック１１を下方へスライド連動させ、探検ライトヘッドを保護する機能を実現する。
【００１４】
前記支持機構１０１は前記支持チャンバ３５の前後内壁の間に回転できるように取り付けられた連結ロッド５０を含み、前記連結ロッド５０には第一支持ロッド４０が固定的に取り付けられ、前記第一支持ロッド４０の前側のうち前記連結ロッド５０に位置しているところには第二ベベルギヤ４１が固定的に取り付けられ、前記第二ベベルギヤ４１が前記第一ベベルギヤ４２と噛み合っており、前記ライト主体８８の後側端面には第一止めブロック４７が固定的に取り付けられ、前記ライト台座７７の後側端面の中にはスライド溝４５が設置され、前記スライド溝４５の中には第二止めブロック４６がスライドできるように取り付けられ、前記第二止めブロック４６の底部端面と前記スライド溝４５の底壁との間には第三バネ３９が固定的に取り付けられ、前記第一支持ロッド４０には第二支持ロッド３８がヒンジで取り付けられ、前記支持チャンバ３５の右側内壁には運動スライドブロック３６がスライドできるように取り付けられ、前記運動スライドブロック３６にはスライドガイドブロック３７が固定的に取り付けられ、前記運動スライドブロック３６の左側端面には左方に開口した動力チャンバ４８が設置され、前記第二支持ロッド３８が前記運動スライドブロック３６とヒンジで連結され、前記運動スライドブロック３６は前記ラック３３と互いに引っ掛かることができ、それによってつまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤ４１が回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８との作用の下で、第二支持ロッド３８が回転して運動スライドブロック３６をスライド連動させ、角度を調節する支持機能を実現する。
【００１５】
前記伝動機構１０２は前記ライト主体８８の底部端面に固定的に取り付けられた動力ロッド５１を含み、前記動力ロッド５１と前記ライト台座７７とが回転できるように取り付けられ、前記ライト台座７７の中にはラックチャンバ５２が設置され、前記ラックチャンバ５２の中にはラック５４がスライドできるように取り付けられ、前記動力ロッド５１の底部端面にはギヤ５３が固定的に取り付けられ、前記ギヤ５３が前記ラック５４と噛み合っており、前記ラックチャンバ５２の下方には推し動かしチャンバ６２が連通しており、前記ラック５４の底部端面には第二スライドブロック５５が固定的に取り付けられ、前記推し動かしチャンバ６２と前記第二スライドブロック５５とがスライドできるように取り付けられ、前記推し動かしチャンバ６２の頂壁左側には固定ブロック６９が固定的に取り付けられ、前記第二スライドブロック５５と前記固定ブロック６９にはヒンジロッド６４がヒンジで取り付けられ、前後両側の前記ヒンジロッド６４が回転できるように取り付けられ、前記推し動かしチャンバ６２には左右対称のバネチャンバ５７が左右対称的に連通するように設置され、左右の前記バネチャンバ５７の間にはバネブロック５６がスライドできるように取り付けられ、前記バネブロック５６の底部端面と前記バネチャンバ５７の底壁との間には第四バネ６０が左右対称的に固定的に取り付けられ、前記バネブロック５６の頂部端面には制限溝６１が設置され、前記制限溝６１の中には第三スライドブロック６３が左右対称的にスライドできるように取り付けられ、前記第三スライドブロック６３が前記ヒンジロッド６４とヒンジで連結され、前記バネブロック５６の底部端面には下方に開口した連結チャンバ５９が設置され、前記連結チャンバ５９の中には吸盤５８がヒンジで取り付けられ、それによって第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライドさせ、第二スライドブロック５５が左方へスライドしてヒンジロッド６４を押し出し、ヒンジロッド６４が押し出されて左右対称の第三スライドブロック６３を連動させて互いに近づかせ、第三スライドブロック６３が相対に運動する時にバネブロック５６を推し動かして下方へスライドさせ、バネブロック５６が下方へスライドして吸盤５８を下方へスライド連動させて植物と衝突させ、装置全体が壁に吸着する機能を実現する。
【００１６】
前記引っ掛かり機構１０３は前記移動チャンバ３１の右側内壁に固定的に取り付けられた第一磁石３０を含み、前記ラック３３の右側端面には第二磁石３４が固定的に取り付けられ、前記第二磁石３４と前記ラック３３との間には第二推しロッド３２がスライドできるように取り付けられ、それによって支持する必要がない時、第二推しロッド３２を後方へ引き動かし、第一磁石３０が第二磁石３４を吸引して右方へスライドさせ、第二磁石３４がラック３３を右方へスライド連動させ、ラック３３が運動スライドブロック３６を引っ掛からせることができなく、運動スライドブロック３６が上方へ支持チャンバ３５の中にスライドし、支持機構１０１を回収する機能を実現し、支持する時、第二推しロッド３２を前方へ推せば、ラック３３を押し出す引っ掛かり機能を実現できる。
【００１７】
使用の時、照明必要がある時、支持ブロック１１が引かれて上方へスライドし、圧縮された第二バネ１６が弾力を放して推しブロック１７を推し動かして左方へスライドさせて支持ブロック１１をしっかりと引っ掛からせ、照明が完成した後、ボタン２１が推されて左方へスライドして第一推しロッド２６を左方へスライド連動させ、第一推しロッド２６が斜め溝２０と引っ掛かり柱２２とによって第一スライドブロック１９を上方へスライド連動させ、第一スライドブロック１９が上方へスライドして推しブロック１７を右方へスライド連動させることによって、推しブロック１７が支持ブロック１１との接触から離脱し、圧縮された第一バネ１３が弾力を放して制限ブロック１４によって支持ブロック１１を下方へスライド連動させ、探検ライトヘッドを保護する機能を実現し、つまみ４４が回転する時、つまみ４４が回転ロッド４３によって第一ベベルギヤ４２を回転連動させ、第一ベベルギヤ４２が回転して第二ベベルギヤ４１を回転連動させ、第二ベベルギヤが回転して連結ロッド５０を回転連動させ、連結ロッド５０が回転して第一支持ロッド４０を回転連動させ、第一支持ロッド４０が回転して第二支持ロッド３８を回転連動させ、スライドガイドブロック３７とライト主体８８の作用の下で、第二支持ロッド３８が回転して運動スライドブロック３６をスライド連動させ、角度を調節する機能を実現し、第二止めブロック４６が下方へスライドした後、ライト台座７７がライト主体８８との引っ掛かりから離脱し、ライト主体８８が動力ロッド５１によってギヤ５３を回転連動させ、ギヤ５３が回転してラック５４を左方へスライド連動させ、ラック５４が左方へスライドして第二スライドブロック５５を左方へスライド連動させ、第二スライドブロック５５が左方へスライドしてヒンジロッド６４を押し出し、ヒンジロッド６４が押し出されて左右対称の第三スライドブロック６３を連動させて互いに近づかせ、第三スライドブロック６３が互いに近づくと同時にバネブロック５６を推し動かして下方へスライドさせ、バネブロック５６が下方へスライドして吸盤５８を下方へスライド連動させて植物と衝突させ、全装置全体が壁に吸着する機能を実現し、支持する必要がない時、第二推しロッド３２を後方へ引き動かし、第一磁石３０が第二磁石３４を吸引して右方へスライドさせ、第二磁石３４がラック３３を右方へスライド連動させ、ラック３３が運動スライドブロック３６を引っ掛からせることができなく、運動スライドブロック３６が上方へ支持チャンバ３５の中にスライドし、支持機構１０１を回収する機能を実現し、支持する時、第二推しロッド３２を前方へ推し動かせば、ラック３３を押し出す引っ掛かり機能を実現できる。
【００１８】
本発明の有益な効果は：本発明は探検ライトを使用しない時、ヘッドをランプシェードの中に収めることができ、ヘッドが物にぶつかって傷つけられることを防止し、次に両手で作業する必要がある時、ライト台座が木に吸着でき、照射角度を調節できる支持機構をつけており、普及する価値がある。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。